(57)【要約】【課題】            被固定部材に対する着脱を一方向から簡単な操作で行えるとともに、被固定部材への固定時に弾性係止片とぐらつきを少なくした電気部品保持具を提供すること。【解決手段】        電気部品２を保持する保持部３と、該保持部３を被固定部材５に固定する固定部４とを備えた電気部品保持具において、前記固定部は、保持部の底面から垂設し、被固定部材の取付孔６を通して被固定部材の裏面に突出した支柱９と支柱の先端から保持部に向けて形成した弾性係止片１１とからなる差込脚８を備え、該弾性係止片の開放端に電気部品保持部に向けて前記取付孔を通して被固定部材の表面に延出し、弾性係止片の開放端を支柱９に向けて押圧する解除レバーを形成するとともに、被固定部材の表面を押圧する弾性翼片を前記保持部の下部から解除レバーに影響しない位置に支柱の両側に分散して少なくとも前後に２片ずつ延出した。【選択図】          図１
2006019502.tif 000002
【特許請求の範囲】
【請求項１】
電気部品を保持する保持部と、該保持部を被固定部材に固定する固定部とを備えた電気部品保持具において、前記固定部は、保持部の底面から垂設し、被固定部材の取付孔を通して被固定部材の裏面に突出した支柱と支柱の先端から保持部に向けて形成した弾性係止片とからなる差込脚を備え、該弾性係止片の開放端に電気部品保持部に向けて前記取付孔を通して被固定部材の表面に延出し、弾性係止片の開放端を支柱に向けて接近させる解除レバーを形成するとともに、被固定部材の表面を押圧する弾性翼片を前記保持部の下部から解除レバーに影響しない位置に支柱の両側に分散して少なくとも前後に２片ずつ延出した電気部品保持具。
【請求項２】
前記保持部は、Ｕ字状の開口部の一端にヒンジを介して開閉可能な可動片を設け、該可動片の先端部をＵ字状に折り返して先端に係止突起を形成するとともに、Ｕ字状の開口部の他端に可動片の係止突起が係合する係止部を形成した請求項１記載の電気部品保持具。
【発明の詳細な説明】
【技術分野】
【０００１】
本発明は、例えば、シャーシやパネル等の被固定部材にプリント基板や配線等の電気部品を所定の間隔を隔てて安定して固定する電気部品保持具に関する。
【背景技術】
【０００２】
従来から、電線等の電気部品を被固定部材に固定するため様々な電気部品保持具が使用されている。このような電気部品保持具は、電気部品を保持する保持部と該保持部をシャーシ等の被固定部材に固定するため保持部の下方に一体に形成された固定部とを備えており、被固定部材の予め開口された取付孔に前記固定部を差し込み固定することで、電気部品保持具を被固定部材に固定していた。具体的には、固定部は、例えば下記特許文献１に記載されているように、保持部から取付孔を有する被固定部材に向けてアーチ状に湾曲するように設けられ、その両側自由端が被固定部材表面に当接する弾性翼片と、弾性翼片の中心部位から取付孔を通して突出する支柱とこの支柱の先端から折り返して被固定部材に向けて形成され、被固定部材の裏側（以下「裏面」という。）を抑止する一対の弾性係止片とから構成されている。
【０００３】
すなわち、この固定部は、弾性翼片と取付孔を貫通した弾性係止片とで、被固定部材の両面を挟持することにより被固定部材に固定されるように構成されている。
【０００４】
昨今、機材類等のリサイクルが提唱され、電気部品保持具の取り外しやすさが課題となっている。前記特許文献１に記載された電気部品保持具は、挿入セット時には一方向の挿入作業で完了するが、取り外しの際には被固定部材の裏面から作業を行う必要があるため、取り外しが困難であるという問題があった。
【０００５】
その問題を改善するため、特許文献２に記載されているような被固定部材の表面から取り外しが可能な構造が提案されている。この特許文献２に記載されているものは、保持部から垂設され、取付孔を通して被固定部材の裏面へ突出する支柱とこの支柱の先端から折り返して被固定部材に向けて形成される一対の弾性係止片とから構成され、各弾性係止片の開放端から取付孔を通して保持部の側方へ向けて（固定側に）突出する解除レバーを形成し（つまり一対の解除レバーが対向するように形成されている）、各解除レバーに被固定部材の表面に当接する弾性翼片を形成している。この一対の解除レバーを保持部に向けて接近するように押すことにより、両弾性係止片の開放端を近接縮小変形させ取付孔から抜き出すことができる。
【０００６】
また、特許文献２には、従来技術として弾性係止片が１つだけで、それに応じて解除レバーが１つだけのものが記載されている。この特許文献２の従来技術として記載されたものは、保持部から垂設され、取付孔を通して被固定部材の裏面へ突出する支柱とこの支柱の先端から折り返して被固定部材に向けて形成される弾性係止片とからなり、弾性係止片の開放端から取付孔を通して保持部の側方へ向けて（固定側に）突出する解除レバーを形成し、解除レバーに被固定部材の表面に当接する弾性翼片の機能を持たせたものが記載されている。この解除レバーを保持部に向けて押すことにより弾性係止片の開放端が取付孔内に縮小変形して取付孔から抜き出すことができる。すなわち、この特許文献２に記載されたもの（従来技術に記載されたものを含む）も、被固定部材に対する着脱を一方向からの操作で行えるものであった。
【０００７】
【特許文献１】実開昭５８−１５８４９０
【特許文献２】特開２００１−２７８３２９
【発明の開示】
【発明が解決しようとする課題】
【０００８】
しかしながら、上記特許文献２に記載された電気部品保持具は、被固定部材の裏面を抑止する一対の弾性係止片から延出された解除レバーに被固定部材の表面に当接する弾性翼片を形成していたので、また特許文献２の従来技術として記載されたものは解除レバー自体を弾性翼片にしていたので、特許文献１に記載された保持部から被固定部材の表面に当接する弾性翼片を形成したものと比べて、弾性係止片と直角な方向（電気部品の長手方向）にぐらつきが大きくなるという課題があった。ぐらつきが大きいと電気部品保持具に保持した電気部品が正しい位置を維持できずに他の部品と接触する恐れがあった。
【０００９】
本発明は、このような従来の電気部品保持具を改良することを課題とするものであり、被固定部材に対する着脱を一方向から簡単な操作で行えるとともに、被固定部材への固定時にぐらつきを少なくした電気部品保持具を提供することをその目的とする。
【課題を解決するための手段】
【００１０】
この目的を達成するため、本発明は、電気部品を保持する保持部と、該保持部を被固定部材に固定する固定部とを備えた電気部品保持具において、前記固定部は、保持部の底面から垂設し、被固定部材の取付孔を通して被固定部材の裏面に突出した支柱と支柱の先端から保持部に向けて形成した弾性係止片とからなる差込脚を備え、該弾性係止片の開放端に電気部品保持部に向けて前記取付孔を通して被固定部材の表面に延出し、弾性係止片の開放端を支柱に向けて接近させる解除レバーを形成するとともに、被固定部材の表面を押圧する弾性翼片を前記保持部の下部から解除レバーに影響しない位置に支柱を挟んで少なくとも前後に２片ずつ延出した電気部品保持具を提供するものである。
【００１１】
この構成を備えた電気部品保持具は、被固定部材の予め開口された取付孔に前記固定部を差し込み固定することができ、かつ被固定部材の表面にある解除レバーを内側に向けて押圧することにより、被固定部材の取付孔から固定部を取り外すことができるとともに、被固定部材の表面を押圧する弾性翼片を前記保持部の下部から解除レバーに影響しない位置に支柱の両側に分散して少なくとも前後に２片ずつ延出しているため、弾性翼片が被固定部材の取り付け面（表面）の取付孔をほぼ中心として交差する位置の四カ所を押圧するので、保持部のぐらつきを押さえることができる。
【００１２】
前記保持部は、Ｕ字状の開口部の一端にヒンジを介して開閉可能な可動片を設け、該可動片の先端部をＵ字状に折り返して先端に係止突起を形成するとともに、Ｕ字状の開口部の他端に可動片の係止突起が係合する係止部を形成することが望ましい。
【００１３】
この構成を備えた電気部品保持具は、電気部品を開口部から保持部内に挿入した後、可動片を係止部に向けて倒して係止突起を係止部に係合させてケーブル等の長尺の電気部品を確実に閉じこめておくことができる。
【発明の効果】
【００１４】
本発明にかかる電気部品保持具は、被固定部材に対する着脱を一方向から簡単な操作で行えるとともに、被固定部材への固定時にぐらつきを少なくすることができる。
【発明を実施するための最良の形態】
【００１５】
次に、本発明の好適な実施の形態にかかる電気部品保持具について図面を参照して説明する。この電気部品保持具は、電気部品を保持する保持部と、該保持部を被固定部材に固定する固定部とを備えたものであるが、前記固定部は、保持部の底面から垂設し、被固定部材の取付孔を通して被固定部材の裏面に突出した支柱と支柱の先端から保持部に向けて形成した弾性係止片とからなる差込脚を備え、該弾性係止片の開放端に電気部品保持部に向けて前記取付孔を通して被固定部材の表面に延出し、弾性係止片の開放端を支柱に向けて接近させる解除レバーを形成するとともに、被固定部材の表面を押圧する弾性翼片を前記保持部の下部から解除レバーに影響しない位置に支柱の両側に分散して少なくとも前後に２片ずつ延出した形成したものである。
【実施例１】
【００１６】
図１は、本発明の実施の形態にかかる電気部品保持具１
の斜視図、図２は、図１に示す電気部品保持具の正面図、図３は、同底面図、図４は、同右側面図、図５は図２のＡ−Ａ断面図、図６は図４のＣ−Ｃ断面図である。
【００１７】
なお、本実施例では、その説明上、電気部品２がシャーシ等の被固定部材５に固定された際の被固定部材側を下、電気部品側を上と表現する。
【００１８】
図１から図６に示す電気部品保持具１は、電線等の電気部品２を保持する保持部３と該保持部３をシャーシ等の被固定部材５に穿けた取付孔６に固定するため保持部３の下方に一体に形成された固定部４とを備えている。
【００１９】
固定部４は、保持部３の底面７から垂設され、取付孔６を通して被固定部材５の裏面へ突出する支柱９と支柱９の先端１０を保持部３側に折り返してなる一対の弾性係止片１１，１１とからなる公知のスナップ機構を利用した矢じり形差込脚８を備えている。各弾性係止片１１，１１の開放端１３，１３から上方に向けて取付孔当接部１４，１４を延設するとともにこの当接部１４、１４を介して（すなわち被固定部材５の取付孔６を通して）保持部底面５を外側に迂回するようにＬ字状に解除レバー１５，１５を形成している。
【００２０】
この解除レバー１５，１５を保持部３に向けて接近するように押すことにより、両弾性係止片１１，１１の開放端１３，１３を近接縮小変形させ固定部４を取付孔６から抜き出すことができる。
【００２１】
前記保持部３は、電気部品２を収納するため略Ｕ字状に形成されている。この一端が開口する保持部３の開口部の両端１６，１６からそれぞれ斜め内方へ向かうストレート片１７，１７を延出し、ストレート片１７，１７の先端同士を近接させるようにして、保持部３内に収納した電気部品特に電線・ケーブル等の長尺部材を閉じこめることができるようにしている。
【００２２】
保持部３の下部には、矢じり形差込脚８に対応する弾性翼片１８，１８，１８，１８を保持部３に収納する電気部品２の長手方向に沿って前後に少なくとも２対形成していて、この二対の弾性翼片１８，１８，１８，１８と取付孔６を貫通した弾性係止片１１，１１とで、被固定部材５の両面を挟持することにより被固定部材５に固定されるように構成されている。この二対の弾性翼片１８，１８，１８，１８は、解除レバー１５，１５に影響を与えない位置・方向に形成されている。また、この二対の弾性翼片１８，１８，１８，１８は、保持部３の下部から支柱９の両側に分散して少なくとも前後に２片ずつ延出した形成している。つまり、被固定部材５取り付け面（表面）への当接部四カ所が取付孔６をほぼ中心として交差するように形成している。従って、この二対の弾性翼片１８，１８，１８，１８で被固定部材５取り付け面（表面）の取付孔６をほぼ中心として交差する位置の四カ所を押圧することにより、被固定部材５の取り付け面の凹凸や傾斜に対して保持部３のほぼ全方向のぐらつきを押さえることができるようにしている。
【００２３】
次に、本発明の電気部品保持具の使用方法について説明する。まず、被固定部材５に予め穿設された取付孔６に矢じり形差込脚８を押し込み、被固定部材５の裏面を一対の弾性係止片１１，１１で抑止するとともに、４枚の弾性翼片１８，１８，１８，１８で被固定部材５の表面を押圧した状態で保持部を固定する。次いで、配線されるケーブル等を開口部から保持部３内に差し込んで保持部３に保持する。この取り付け状態から電気部品保持具１を取り外す場合には、解除レバー１５を保持部３に向けて押すことにより、弾性係止片１１，１１の開放端１３，１３を近接縮小変形させ取付孔６から容易に抜き出すことができる。
【実施例２】
【００２４】
電気部品を収納する保持部は、上記の実施例では、略Ｕ字状に形成し、開口部の両端１６，１６から延出したストレート片１７，１７の先端同士を近接させてケーブル等の長尺の電気部品を閉じこめることができるようにしているが、収納保持した電気部品を確実に閉じこめておくことができるように上記先端が近接する形状に代えて公知のロック形状を形成するようにしても良い。例えば図７に斜視図で示したように電気部品保持具２１の保持部２２は、Ｕ字状の開口部の一端にヒンジ２３を介して開閉可能な可動片２４を設け、該可動片２４の先端部をＵ字状に折り返して先端に係止突起２６を形成するとともに、Ｕ字状の開口部の他端に可動片２４の係止突起２６が係合する係止部２７を形成することが考えられる。電気部品２１を開口部から保持部２２内に挿入した後、可動片２４を係止部２７に向けて倒して係止突起を２６を係止部２７に係合させて収納保持した電気部品を確実に閉じこめておくことができる。なお、保持部２２以外の固定部４の構成は、図１〜図６に示した前記実施例と同様であるので詳しい説明を省略するが、二対の弾性翼片１８，１８，１８，１８で被固定部材（図示せず）取り付け面（表面）の取付孔（図示せず）をほぼ中心として交差する位置の四カ所を押圧することにより、被固定部材の取り付け面の凹凸や傾斜に対して保持部３のほぼ全方向のぐらつきを押さえることができるようにしている。
【実施例３】
【００２５】
本発明は、上記の図１から図６に示したような一対の弾性係止片１１，１１を有する矢じり形差込脚８ばかりでなく、特許文献２の従来技術に記載されたような弾性係止片を１つだけ形成し、この弾性係止片の開放端から解除レバーを延出したものにも適用できる。以下、その例について図８〜図１０を参照して説明する。
【００２６】
図８は、その例を示す電気部品保持具３１の正面図であって、図９は図８の平面図、図１０は図９のＤーＤ断面図である。なお、電気部品保持具３１の保持部２２は、前記実施例２のロック形状を形成するものと同様であるので説明を省略する。図８から図１０に記載したようにこの電気部品保持具３１の固定部３２は、保持部２２から垂設され、被固定部材（図示せず）に穿設した取付孔（図示せず）を通して被固定部材の裏面へ突出する支柱３３とこの支柱３３の先端から折り返して被固定部材に向けて形成される弾性係止片３４とからなる差込脚３５を形成するとともに、弾性係止片３４の開放端３６から被固定部材の取付孔を通して保持部２２の側方へ向けて（保持部側に）突出する解除レバー３７を形成し、この解除レバー３７を保持部２２に向けて押すことにより弾性係止片３４の開放端３６が取付孔内に縮小変形して取付孔から抜き出すことができるように構成している。なお、支柱３３には、弾性係止片３４と反対側に被固定部材の取付孔縁部に係止する係止突起３８を形成している。
【００２７】
また、保持部２２の下部には、前記図１〜図６に記載した構成と同様に差込脚３５に対応する弾性翼片１８，１８，１８，１８を保持部３に収納する電気部品２の長手方向に沿って少なくとも２対形成していて、この二対の弾性翼片１８，１８，１８，１８と取付孔を貫通した弾性係止片３４とで、被固定部材５の両面を挟持することにより被固定部材に固定されるように構成されている。この二対の弾性翼片１８，１８，１８，１８は、解除レバー１５，１５に影響を与えない位置・方向に形成されている。また、この二対の弾性翼片１８，１８，１８，１８は、保持部３の下部から支柱３３の両側に分散して少なくとも前後に２片ずつ延出した形成している。つまり、被固定部材取り付け面（表面）への当接部四カ所が取付孔をほぼ中心として交差するように形成している。従って、この二対の弾性翼片１８，１８，１８，１８で被固定部材取り付け面（表面）の取付孔をほぼ中心として交差する位置の四カ所を押圧することにより、被固定部材の取り付け面の凹凸や傾斜に対して保持部３のほぼ全方向のぐらつきを押さえることができるようにしている。
【実施例４】
【００２８】
本発明は、上記の固定部４，３２のような支柱９，３３を折り返して弾性係止片１１，３４を形成したものばかりではなく、以下に述べるように先端部で繋がる２本の支柱４３，４３とその先端部から延出する弾性係止片４４を形成したものにも適用することができる。以下、その例について図を参照して説明する。
【００２９】
図１１は、その例を示す電気部品保持具４１の斜視図であって、図１２は図１１に示す電気部品保持具４１の正面図、図１３は図１２のＥーＥ断面図である。なお、電気部品保持具４１の保持部２２は、前記実施例２のロック形状を形成するものと同様であるので説明を省略する。図１１から図１３に記載したようにこの電気部品保持具４１の固定部４２は、保持部２２から垂設され、被固定部材（図示せず）に穿設した取付孔（図示せず）を通して被固定部材の裏面に突出し、先端部で繋がる２本の支柱４３，４３とその先端から保持部２２側に向けて延出する弾性係止片４４とからなる差込脚４５を形成するとともに、弾性係止片４４の開放端４６から被固定部材の取付孔を通して保持部２２のへ向けて（保持部側に）突出する解除レバー４７を形成し、この解除レバー４７を保持部２２に向けて押すことにより弾性逆止片４４の開放端４６が取付孔内に縮小変形して取付孔から抜き出すことができるように構成している。なお、各支柱４３には、弾性係止片３４と反対側に被固定部材の取付孔縁部に係止する係止突起４８，４８を形成するとともに、解除レバー４７の弾性係止片４４と反対側の面に突起４９を設け、解除レバー４７を内側に押し込むと、この突起４９が取付孔のエッジにあたり、その反力で自動的に電気部品保持具４１全体がスライドし、突起４９が被固定部材から外れる構造としている。
【００３０】
また、保持部２２の下部には、前記図１〜図６に記載した構成と同様に差込脚４５に対応する弾性翼片１８，１８，１８，１８を保持部３に収納する電気部品２の長手方向に沿って少なくとも２対形成していて、この二対の弾性翼片１８，１８，１８，１８と取付孔を貫通した弾性係止片４４とで、被固定部材の両面を挟持することにより被固定部材５に固定されるように構成されている。この二対の弾性翼片１８，１８，１８，１８は、解除レバー１５，１５に影響を与えない位置・方向に形成されている。また、この二対の弾性翼片１８，１８，１８，１８は、保持部３の下部から支柱３３の両側に分散して少なくとも前後に２片ずつ延出した形成している。つまり、被固定部材取り付け面（表面）への当接部四カ所が取付孔をほぼ中心として交差するように形成している。従って、この二対の弾性翼片１８，１８，１８，１８で被固定部材取り付け面（表面）の取付孔をほぼ中心として交差する位置の四カ所を押圧することにより、被固定部材の取り付け面の凹凸や傾斜に対して保持部３のほぼ全方向のぐらつきを押さえることができるようにしている。
【００３１】
また、電気部品の保持部の形状は、上記実施例においてはケーブル等の長尺部材を保持するのに好適なように略Ｕ字状に形成したものを開示したが、電気部品は長尺部材に限るわけではなく、電気部品の形状に応じて様々な形状に形成することができる。例えば電気部品がプリント基板の場合には、保持部を柱状に形成し、固定部と反対側の端部にプリント基板に設けた取付孔に取り付け可能な差込脚（例えば固定部と同様な形状の矢じり形等の差込脚）を設ければ良い。
【００３２】
上記各電気部品保持具１，２１，３１，４１は、適度の弾性と硬性を有する合成樹脂材料（例えばポリアミド）を使用して全体を一体とした射出成形が可能な構造としている。
【図面の簡単な説明】
【００３３】
【図１】本発明の実施の形態にかかる実施例１の電気部品保持具の斜視図である。
【図２】図１に示す電気部品保持具の正面図である。
【図３】図２の底面図である。
【図４】図２の右側面図である。
【図５】図２のＡ−Ａ断面図である。
【図６】図４のＣ−Ｃ断面図である。
【図７】本発明の実施の形態にかかる実施例２の電気部品保持具の斜視図である。
【図８】本発明の実施の形態にかかる実施例３の電気部品保持具の正面図である。
【図９】図８の平面図である。
【図１０】図９のＤ−Ｄ断面図である。
【図１１】本発明の実施の形態にかかる実施例４の電気部品保持具の斜視図である。
【図１２】図１１に示す電気部品保持具の正面図である。
【図１３】図１２のＥ−Ｅ断面図である
【符号の説明】
【００３４】
１    電気部品保持具
２    電気部品
３    保持部
４    固定部
５    被固定部材
６    取付孔
８    差込脚
９    支柱
１１  弾性係止片
１５  解除レバー
１８  弾性翼片
２１  電気部品保持具
２２  保持部
３１  電気部品保持具
３２  固定部
３３  支柱
３４  弾性係止片
３５  差込脚
３７  解除レバー
４１  電気部品保持具
４２  固定部
４３  支柱
４４  弾性係止片
４５  差込脚
４７  解除レバー
【図１】
2006019502.tif 000003
【図２】
2006019502.tif 000004
【図３】
2006019502.tif 000005
【図４】
2006019502.tif 000006
【図５】
2006019502.tif 000007
【図６】
2006019502.tif 000008
【図７】
2006019502.tif 000009
【図８】
2006019502.tif 000010
【図９】
2006019502.tif 000011
【図１０】
2006019502.tif 000012
【図１１】
2006019502.tif 000013
【図１２】
2006019502.tif 000014
【図１３】
2006019502.tif 000015